【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
受精卵が経時的に撮像された複数の受精卵画像から前記受精卵が存在する確率を示す確率画像を生成する確率画像生成部を有し、前記確率画像に基づき前記受精卵を認識可能に構成される認識部と、
前記確率画像から前記受精卵の経時的な状態変化を算出し、前記状態変化に基づく前記受精卵の特徴量を算出可能に構成される特徴量算出部と
を具備する情報処理装置。
【請求項２】
請求項１に記載の情報処理装置であって、
前記認識部は、前記確率画像に対して画素毎に所定の閾値で２値化処理を施すことにより、前記確率画像から２値化画像を生成する２値化画像生成部をさらに有し、前記２値化画像に基づき前記受精卵を認識可能に構成され、
前記特徴量算出部は、前記２値化画像から前記受精卵の経時的な状態変化を算出し、前記状態変化に基づく前記受精卵の特徴量を算出可能に構成される
情報処理装置。
【請求項３】
請求項２に記載の情報処理装置であって、
前記認識部は、前記２値化画像と前記受精卵画像とを重畳させたオーバーレイ画像を生成するオーバーレイ画像生成部をさらに有し、前記オーバーレイ画像に基づき前記受精卵を認識可能に構成され、
前記特徴量算出部は、前記オーバーレイ画像から前記受精卵の経時的な状態変化を算出し、前記状態変化に基づく前記受精卵の特徴量を算出可能に構成される
情報処理装置。
【請求項４】
請求項１〜３のいずれか１つに記載の情報処理装置であって、
前記認識部は、前記受精卵の透明帯と、前記受精卵内部の細胞とを認識し、
前記特徴量算出部は、前記状態変化として、前記透明帯及び前記受精卵内部の細胞の面積の変化を算出する
情報処理装置。
【請求項５】
請求項４に記載の情報処理装置であって、
前記特徴量算出部は、前記透明帯の面積と、前記受精卵内部の細胞の面積の経時的な変化とに基づき、前記特徴量として、前記受精卵のコンパクション時間及び卵割時間の少なくとも１つを算出する
情報処理装置。
【請求項６】
請求項４又は５に記載の情報処理装置であって、
前記認識部は、前記受精卵内部の細胞として、胚盤胞を認識し、
前記特徴量算出部は、前記透明帯と前記胚盤胞との面積差の経時的な変化に基づき、前記特徴量として、前記透明帯及び前記胚盤胞の収縮回数、収縮直径、収縮速度、収縮時間、収縮間隔、収縮強度、収縮周波数、拡張回数、拡張直径、拡張速度、拡張時間、拡張間隔、拡張強度及び拡張周波数の少なくとも１つを算出する
情報処理装置。
【請求項７】
請求項１〜６のいずれか１つに記載の情報処理装置であって、
前記確率画像中の各位置は、前記受精卵画像中の対応する位置に前記受精卵の少なくとも一部が存在する確率を示す
情報処理装置。
【請求項８】
請求項７に記載の情報処理装置であって、
前記受精卵画像中の対応する位置は、前記受精卵画像中のピクセル位置である
情報処理装置。
【請求項９】
請求項１〜８のいずれか１つに記載の情報処理装置であって、
前記認識部は、前記受精卵の透明帯を認識し、
前記特徴量算出部は、前記状態変化として、前記透明帯の物理的特徴の変化を算出する
情報処理装置。
【請求項１０】
請求項９に記載の情報処理装置であって、
前記透明帯の物理的特徴の変化は、前記透明帯の径、面積及び厚みの変化の少なくとも１つである
情報処理装置。
【請求項１１】
請求項１〜１０のいずれか１つに記載の情報処理装置であって、
前記認識部は、前記受精卵の前核を認識し、
前記特徴量算出部は、前記状態変化として、前記前核の面積の変化を算出する
情報処理装置。
【請求項１２】
請求項１１に記載の情報処理装置であって、
前記特徴量算出部は、前記前核の面積に基づき、前記特徴量として、前記前核の個数を算出する
情報処理装置。
【請求項１３】
請求項１〜１２のいずれか１つに記載の情報処理装置であって、
前記認識部は、前記受精卵の第１及び第２の極体を認識し、
前記特徴量算出部は、前記第１及び第２の極体の面積の和と、第１の極体の面積との差に基づき、前記特徴量として、前記受精卵の極体の個数を算出する
情報処理装置。
【請求項１４】
請求項１〜１３のいずれか１つに記載の情報処理装置であって、
前記認識部は、前記受精卵の割球の核を認識し、
前記特徴量算出部は、前記核の面積に基づき、前記特徴量として、前記核の個数を算出する
情報処理装置。
【請求項１５】
請求項１〜１４のいずれか１つに記載の情報処理装置であって、
前記認識部は、前記受精卵の透明帯と、前記受精卵内部の細胞と、前記受精卵のフラグメンテーションとを認識し、
前記特徴量算出部は、前記特徴量として、前記透明帯の面積と前記受精卵内部の細胞の面積の総和に対する前記フラグメンテーションの面積の割合を算出する
情報処理装置。
【請求項１６】
請求項１〜１５のいずれか１つに記載の情報処理装置であって、
前記認識部は、前記受精卵の卵細胞辺縁透明領域と、前記受精卵内部の細胞とを認識し、
前記特徴量算出部は、前記状態変化として、前記受精卵内部の細胞の面積に対する前記卵細胞辺縁透明領域の面積の割合の変化を算出する
情報処理装置。
【請求項１７】
請求項１〜１６のいずれか１つに記載の情報処理装置であって、
前記認識部は、前記受精卵内部の細胞を認識し、
前記特徴量算出部は、前記認識部により認識された前記受精卵内部の細胞の経時的な動き量の変化をさらに算出する
情報処理装置。
【請求項１８】
請求項１〜１７のいずれか１つに記載の情報処理装置であって、
前記特徴量に基づき、前記受精卵の品質を判定する判定部をさらに具備する
情報処理装置。
【請求項１９】
請求項１８に記載の情報処理装置であって、
前記認識部は、前記受精卵の第１及び第２の極体を認識し、
前記特徴量算出部は、前記第１及び第２の極体の面積の和と、第１の極体の面積との差に基づき、前記特徴量として、前記受精卵の極体の個数を算出し、
前記判定部は、前記極体の個数に基づき、前記受精卵の極体が異常であるか否かを判定する
情報処理装置。
【請求項２０】
請求項１８又は１９に記載の情報処理装置であって、
前記認識部は、前記受精卵の割球の核を認識し、
前記特徴量算出部は、前記核の面積に基づき、前記特徴量として、前記核の個数を算出し、
前記判定部は、前記核の個数に基づき、前記受精卵が多核状態であるか否かを判定する
情報処理装置。
【請求項２１】
請求項１８〜２０のいずれか１つに記載の情報処理装置であって、
前記判定部は、前記状態変化に基づき、前記受精卵の発育状態をさらに判定する
情報処理装置。
【請求項２２】
請求項１８〜２１のいずれか１つに記載の情報処理装置であって、
前記認識部は、前記受精卵の透明帯を認識し、
前記特徴量算出部は、前記状態変化として、前記透明帯の厚みの変化を算出し、
前記判定部は、前記透明帯の厚みの変化に基づき、前記受精卵が拡張胚盤胞であると判定する
情報処理装置。
【請求項２３】
請求項１８〜２２のいずれか１つに記載の情報処理装置であって、
前記認識部は、前記受精卵の透明帯を認識し、
前記特徴量算出部は、前記状態変化として、前記透明帯の径及び面積の変化の少なくとも１つを算出し、
前記判定部は、前記透明帯の径及び面積の変化の少なくとも１つに基づき、前記受精卵が拡張胚盤胞であると判定する
情報処理装置。
【請求項２４】
請求項１８〜２３のいずれか１つに記載の情報処理装置であって、
前記認識部は、前記受精卵の前核を認識し、
前記特徴量算出部は、前記状態変化として、前記前核の面積の変化を算出し、
前記判定部は、前記前核の面積の変化に基づき、前記受精卵における前核の出現及び消失を判定する
情報処理装置。
【請求項２５】
請求項２４に記載の情報処理装置であって、
前記特徴量算出部は、前記前核の面積に基づき、前記特徴量として、前記前核の個数をさらに算出し、
前記判定部は、前記前核の個数に基づき、前記受精卵の前核が異常であるか否かを判定する
情報処理装置。
【請求項２６】
請求項１８〜２５のいずれか１つに記載の情報処理装置であって、
前記認識部は、前記受精卵の卵細胞辺縁透明領域と、前記受精卵内部の細胞とを認識し、
前記特徴量算出部は、前記状態変化として、前記受精卵内部の細胞の面積に対する前記卵細胞辺縁透明領域の面積の割合の変化を算出し、
前記判定部は、前記割合の変化に基づき、前記受精卵における卵細胞辺縁透明領域の出現及び消失を判定する
情報処理装置。
【請求項２７】
請求項１８〜２６のいずれか１つに記載の情報処理装置であって、
前記判定部は、前記受精卵内部の細胞の経時的な動き量の変化に基づき、前記受精卵の発育状態をさらに判定する
情報処理装置。
【請求項２８】
請求項２７に記載の情報処理装置であって、
前記判定部は、前記受精卵内部の細胞の動き速度ベクトルの合計値が、第１の閾値以上であり、且つ、単位時間あたりの前記動き速度ベクトルの変化がほぼゼロである前記受精卵の状態をｌａｇ−ｐｈａｓｅと判定する
情報処理装置。
【請求項２９】
請求項２７又は２８に記載の情報処理装置であって、
前記判定部は、前記受精卵内部の細胞の動き速度ベクトルの合計値が、第１の閾値より大きく、且つ、単位時間あたりの前記動き速度ベクトルの変化がゼロではない前記受精卵の状態を、変性細胞割合が１５％未満と判定する
情報処理装置。
【請求項３０】
請求項２７〜２９のいずれか１つに記載の情報処理装置であって、
前記判定部は、前記受精卵内部の細胞の動き速度ベクトルの合計値が、第１の閾値以下であり、且つ、単位時間あたりの前記動き速度ベクトルの変化がほぼゼロである前記受精卵の状態を、変性細胞割合が１５％以上と判定する
情報処理装置。
【請求項３１】
請求項２７〜３０のいずれか１つに記載の情報処理装置であって、
前記判定部は、前記受精卵内部の細胞の動き平均速度が、第２の閾値より大きい前記受精卵の状態を、変性細胞割合が１５％以上５０％未満とさらに判定する
情報処理装置。
【請求項３２】
請求項２７〜３１のいずれか１つに記載の情報処理装置であって、
前記判定部は、前記受精卵内部の細胞の動き平均速度が第２の閾値より小さい前記受精卵の状態を、変性細胞割合が５０％以上とさらに判定する
情報処理装置。
【請求項３３】
受精卵が経時的に撮像された複数の受精卵画像から前記受精卵が存在する確率を示す確率画像を生成し、
前記確率画像から前記受精卵の経時的な状態変化を算出し、前記状態変化に基づく前記受精卵の特徴量を算出する
情報処理方法。
【請求項３４】
受精卵が経時的に撮像された複数の受精卵画像から前記受精卵が存在する確率を示す確率画像を生成するステップと、
前記確率画像から前記受精卵の経時的な状態変化を算出し、前記状態変化に基づく前記受精卵の特徴量を算出するステップと
を情報処理装置に実行させるプログラム。
【請求項３５】
受精卵を経時的に撮像する撮像部と、
前記受精卵が経時的に撮像された複数の受精卵画像から前記受精卵が存在する確率を示す確率画像を生成する確率画像生成部を有し、前記確率画像に基づき前記受精卵を認識可能に構成される認識部と、
前記確率画像から前記受精卵の経時的な状態変化を算出し、前記状態変化に基づく前記受精卵の特徴量を算出可能に構成される特徴量算出部と
を有する情報処理装置と
を具備する観察システム。